(57)【要約】【課題】出来事や感想を記録しておく日記は、ビジネスやプライベートにおいて、結果を客観的に分析したり、今後の方針を立てる上で重要なツールと成りえる。しかし、日々の記録を取り続ける単調な作業の繰り返しが、人にとってコンピュータが普及した今日においてもいかに難しいか、周知の事実となっている。【解決手段】本発明よる自動日記作成システム、自動日記作成方法の実施又は自動日記作成プログラムの実行によれば、本発明に係る非接触ＩＣカード組込み携帯情報端末を常時携帯することにより、本人の行動記録を非接触ＩＣカードを介してイベント情報としてリアルタイムまたはバッチ処理で保存することができるので、見たい日の出来事を時系列に参照でき、付け加えたいその日のでき事や、書き留めておきたい事を日にちが経っても容易に追記することが可能となる。【選択図】図１
2007280309.tif 000002
【特許請求の範囲】
【請求項１】
サーバシステムから予め自動日記作成携帯情報端末プログラムと、リモート発行システムから予め自動日記作成ＩＣチップ常駐プログラムをダウンロードして自動日記作成システムが動作する環境になっている非接触ＩＣカード組込み携帯情報端末と、ネットワークを介して前記情報端末との間で情報授受するものであって、前記情報端末にて収集した決済、チケット購入、交通利用、各種セキュリティー利用、他の情報端末またはタグから取得した個人を識別する為の個人識別情報等の各種イベントの発生日時、内容、及びそのイベントの場所特定が可能な場合の場所等のイベント情報と、前記情報端末に日記として登録された文章情報や前記情報端末であってカメラ付前記情報端末で撮ったスナップ写真情報を、前記情報端末からリアルタイム処理またはバッチ処理で受信する受信手段と、この受信手段により受信した情報を保存する情報保存手段と、前記ネットワークを介した特定アクセス元からの要求で前記情報保存手段に保存された情報を、前記特定アクセス元に提示する情報提示手段と、前記保存情報を前記特定アクセス元から編集する編集手段と、前記保存情報を任意に選択して報告書、精算書、家計簿、小遣い帳として加工する加工手段と、前記保存情報から特定の人とあった日時の検索やある出来事の日時の検索をする検索手段とを備えるサーバシステムとを具備することを特徴とする自動日記作成システム。
【請求項２】
請求項１記載の携帯情報端末が、他の情報端末から非接触ＩＣカード通信、ブルートゥース通信、赤外線通信、人体通信、可視光通信等の情報通信により、又はタグからＩＣタグ読取、二次元バーコード読取等の情報読取により個人を識別する為の個人識別情報を取得し、自身の個人識別情報を送信し、その個人識別情報送信の許可・禁止を設定し、その個人識別情報を複数登録し、相手に送る個人識別情報を選択することを特徴とする自動日記作成方法。
【請求項３】
請求項１記載の携帯情報端末とネットワークを介して情報授受するサーバシステムが、前記情報端末にて収集した決済、チケット購入、交通利用、各種セキュリティー利用、他の情報端末またはタグから取得した個人を識別する為の個人識別情報等の各種イベントの発生日時、内容、及びそのイベントの場所特定が可能な場合の場所等のイベント情報と、前記情報端末に日記として登録された文章情報や前記情報端末であってカメラ付前記情報端末で撮ったスナップ写真情報を、前記情報端末からリアルタイム処理またはバッチ処理で受信し、このリアルタイム処理またはバッチ処理で受信した情報を保存し、前記ネットワークを介した特定アクセス元からの要求で前記情報保存手段に保存された情報を、前記特定アクセス元に提示し、前記保存情報を前記特定アクセス元から編集し、前記保存情報を任意に選択して報告書、精算書、家計簿、小遣い帳として加工し、前記保存情報から特定の人とあった日時の検索やある出来事の日時の検索をすることを特徴とする自動日記作成方法。
【請求項４】
請求項１記載の携帯情報端末が、他の情報端末から非接触ＩＣカード通信、ブルートゥース通信、赤外線通信、人体通信、可視光通信等の情報通信により、又はタグからＩＣタグ読取、二次元バーコード読取等の情報読取により個人を識別する為の個人識別情報を取得するステップと、自身の個人識別情報を送信するステップと、その個人識別情報送信の許可・禁止を設定するステップと、その個人識別情報を複数登録するステップと、相手に送る個人識別情報を選択するステップとを実行させることを特徴とする自動日記作成携帯情報端末プログラムおよび自動日記作成ＩＣチップ常駐プログラム。
【請求項５】
請求項１記載の携帯情報端末とネットワークを介して情報授受するコンピュータに、前記情報端末にて収集した決済、チケット購入、交通利用、各種セキュリティー利用、他の情報端末またはタグから取得した個人を識別する為の個人識別情報等の各種イベントの発生日時、内容、及びそのイベントの場所特定が可能な場合の場所等のイベント情報と、前記情報端末に日記として登録された文章情報や前記情報端末であってカメラ付前記情報端末で撮ったスナップ写真情報を、前記情報端末からリアルタイム処理またはバッチ処理で受信するステップと、このリアルタイム処理またはバッチ処理で受信した情報を保存するステップと、前記ネットワークを介した特定アクセス元からの要求で前記情報保存ステップに保存された情報を、前記特定アクセス元に提示するステップと、前記保存情報を前記特定アクセス元から編集するステップと、前記保存情報を任意に選択して報告書、精算書、家計簿、小遣い帳として加工するステップと、前記保存情報から特定の人とあった日時の検索やある出来事の日時の検索をするステップとを実行させることを特徴とする自動日記作成サーバプログラム。
【請求項６】
請求項１記載の携帯情報端末とネットワークを介して情報授受するサーバシステムにおいて、前記情報端末にて収集した決済、チケット購入、交通利用、各種セキュリティー利用、他の情報端末またはタグから取得した個人を識別する為の個人識別情報等の各種イベントの発生日時、内容、及びそのイベントの場所特定が可能な場合の場所等のイベント情報と、前記情報端末に日記として登録された文章情報や前記情報端末であってカメラ付前記情報端末で撮ったスナップ写真情報を、前記情報端末からリアルタイム処理またはバッチ処理で受信する受信手段と、この受信手段により受信した情報を保存する情報保存手段と、前記ネットワークを介した特定アクセス元からの要求で前記情報保存手段に保存された情報を、前記特定アクセス元に提示する情報提示手段と、前記保存情報を前記特定アクセス元から編集する編集手段と、前記保存情報を任意に選択して報告書、精算書、家計簿、小遣い帳として加工する加工手段と、前記保存情報から特定の人とあった日時の検索やある出来事の日時の検索をする検索手段とを具備することを特徴とするサーバシステム。
【請求項７】
前記特定アクセス元は、前記情報端末及び個人認証される他の情報端末のうち少なくとも一方であることを特徴とする請求項６記載のサーバシステム。
【請求項８】
請求項１記載の携帯情報端末のＩＣチップ内に常駐させるアプリケーションプログラムは、請求項１、請求項３、請求項５、請求項６に記載のイベント情報をＩＣチップ内でそのイベントを処理する他の複数のアプリケーションから取り込み、請求項１、請求項６、請求項７に記載のサーバにそのイベント情報が送られるまで時系列に保存しておくことを特徴とする自動日記作成方法。
【請求項９】
請求項１記載の携帯情報端末のＩＣチップ内に常駐させるアプリケーションプログラムは、請求項１、請求項３、請求項５、請求項６に記載のイベント情報をＩＣチップ内でそのイベントを処理する他の複数のアプリケーションから取り込むステップと、請求項１、請求項６、請求項７に記載のサーバにそのイベント情報が送られるまで時系列に保存しておくステップを実行させる事を特徴とする自動日記作成ＩＣチップ常駐プログラム。
【発明の詳細な説明】
【技術分野】
【０００１】
本発明は、誰もが続けたいと思い、しかし続ける事が難しいと思っている日記が、日々の出来事を時系列に自動記録しておくことにより容易に続けることが可能な自動日記作成システム、方法及びプログラム並びにサーバシステムに関する。
【背景技術】
【０００２】
日記帳やコンピュータの日記作成用ソフト等で、その日のでき事や、書き留めておきたい事がらを毎日就寝前（または退社前）に必ず本人が書かなければならなかった。
【０００３】
毎日書かなければならない理由は、時間が経つと当日の出来事を思い出すのが難しくなってくるからです。
【非特許文献１】モバイルＦｅｌｌｉＣａ研究会著「モバイルＦｅｌｉＣａはビジネスになる」日経ＢＰ社出版２００５年
【発明の開示】
【発明が解決しようとする課題】
【０００４】
出来事や感想を記録しておく日記は、ビジネスやプライベートにおいて、結果を客観的に分析したり、今後の方針を立てる上で重要なツールと成りえる。
【０００５】
しかし、日々の記録を取り続ける単調な作業の繰り返しが、人にとってコンピュータが普及した今日においてもいかに難しいか、周知の事実となっている。
【０００６】
例えば、１）ビジネスやプライベートで面談した時刻、相手の名前、（場所）２）交通機関を利用した時刻、場所、交通機関名、３）ショッピングをした時刻、店名、場所、購入した物、４）ＡＴＭを利用した時刻、店名（または銀行名）、ＡＴＭ設置場所５）オンラインショッピングした時刻、サイト名、購入した物、６）スナップ写真を撮った時刻、（場所）７）セキュリティーシステムを利用した時刻、名称、場所、等のその日のイベント情報が時系列に自動記録され参照できれば、付け加えたいその日のでき事や、書き留めておきたい事を日にちが経っても容易に追記することができる。
【０００７】
自動記録のみの日記、自動記録＋任意の日の記録について追記した日記、自動記録＋毎日の記録について追記した日記、というように本人の自由意志で自動記録した日記の記録に追記していくことが可能である。
【０００８】
さらに、自動記録された日記のある日のイベント情報を任意に選択してビジネスの報告書や精算書、あるいは家計簿、小遣い帳として使用することや、特定の人とあった日時の検索やある出来事の日時の検索も可能になる。
【０００９】
本発明の目的は、続けると大きな効果があるが続けることが困難な日記を、誰でも続けることを可能にする自動日記作成システム、方法及びプログラム並びにサーバシステムを提供することにある。
【課題を解決するための手段】
【００１０】
上記目的を達成するために本発明に係る自動日記作成システムは、サーバシステムから予め自動日記作成携帯情報端末プログラムと、リモート発行システムから予め自動日記作成ＩＣチップ常駐プログラムをダウンロードして自動日記作成システムが動作する環境になっている非接触ＩＣカード組込み携帯情報端末と、ネットワークを介して前記情報端末との間で情報授受するものであって、前記情報端末にて収集した決済、チケット購入、交通利用、各種セキュリティー利用、他の情報端末またはタグから取得した個人を識別する為の個人識別情報等の各種イベントの発生日時、内容、及びそのイベントの場所特定が可能な場合の場所等のイベント情報と、前記情報端末に日記として登録された文章情報や前記情報端末であってカメラ付前記情報端末で撮ったスナップ写真情報を、前記情報端末からリアルタイム処理またはバッチ処理で受信する受信手段と、この受信手段により受信した情報を保存する情報保存手段と、前記ネットワークを介した特定アクセス元からの要求で前記情報保存手段に保存された情報を、前記特定アクセス元に提示する情報提示手段と、前記保存情報を前記特定アクセス元から編集する編集手段と、前記保存情報を任意に選択して報告書、精算書、家計簿、小遣い帳として加工する加工手段と、前記保存情報から特定の人とあった日時の検索やある出来事の日時の検索をする検索手段とを備えるサーバシステムとを具備することを特徴とする。
【００１１】
また、上記目的を達成するために本発明に係る自動日記作成方法は、００１０項記載の携帯情報端末が、他の情報端末から非接触ＩＣカード通信、ブルートゥース通信、赤外線通信、人体通信、可視光通信等の情報通信により、又はタグからＩＣタグ読取、二次元バーコード読取等の情報読取により個人を識別する為の個人識別情報を取得し、自身の個人識別情報を送信し、その個人識別情報送信の許可・禁止を設定し、その個人識別情報を複数登録し、相手に送る個人識別情報を選択することを特徴とする。
【００１２】
さらに上記目的を達成するために本発明に係る自動日記作成方法は、００１０項記載の携帯情報端末とネットワークを介して情報授受するサーバシステムが、前記情報端末にて収集した決済、チケット購入、交通利用、各種セキュリティー利用、他の情報端末またはタグから取得した個人を識別する為の個人識別情報等の各種イベントの発生日時、内容、及びそのイベントの場所特定が可能な場合の場所等のイベント情報と、前記情報端末に日記として登録された文章情報や前記情報端末であってカメラ付前記情報端末で撮ったスナップ写真情報を、前記情報端末からリアルタイム処理またはバッチ処理で受信し、このリアルタイム処理またはバッチ処理で受信した情報を保存し、前記ネットワークを介した特定アクセス元からの要求で前記情報保存手段に保存された情報を、前記特定アクセス元に提示し、前記保存情報を前記特定アクセス元から編集し、前記保存情報を任意に選択して報告書、精算書、家計簿、小遣い帳として加工し、前記保存情報から特定の人とあった日時の検索やある出来事の日時の検索をすることを特徴とする。
【００１３】
またさらに上記目的を達成するために本発明に係る自動日記作成携帯情報端末プログラムおよび自動日記作成ＩＣチップ常駐プログラムは、００１０項記載の携帯情報端末が、他の情報端末から非接触ＩＣカード通信、ブルートゥース通信、赤外線通信、人体通信、可視光通信等の情報通信により、又はタグからＩＣタグ読取、二次元バーコード読取等の情報読取により個人を識別する為の個人識別情報を取得するステップと、自身の個人識別情報を送信するステップと、その個人識別情報送信の許可・禁止を設定するステップと、その個人識別情報を複数登録するステップと、相手に送る個人識別情報を選択するステップとを実行させることを特徴とする。
【００１４】
またさらに上記目的を達成するために本発明に係る自動日記作成サーバプログラムは、００１０項記載の携帯情報端末とネットワークを介して情報授受するコンピュータに、前記情報端末にて収集した決済、チケット購入、交通利用、各種セキュリティー利用、他の情報端末またはタグから取得した個人を識別する為の個人識別情報等の各種イベントの発生日時、内容、及びそのイベントの場所特定が可能な場合の場所等のイベント情報と、前記情報端末に日記として登録された文章情報や前記情報端末であってカメラ付前記情報端末で撮ったスナップ写真情報を、前記情報端末からリアルタイム処理またはバッチ処理で受信するステップと、このリアルタイム処理またはバッチ処理で受信した情報を保存するステップと、前記ネットワークを介した特定アクセス元からの要求で前記情報保存ステップに保存された情報を、前記特定アクセス元に提示するステップと、前記保存情報を前記特定アクセス元から編集するステップと、前記保存情報を任意に選択して報告書、精算書、家計簿、小遣い帳として加工するステップと、前記保存情報から特定の人とあった日時の検索やある出来事の日時の検索をするステップとを実行させることを特徴とする。
【００１５】
またさらに上記目的を達成するために本発明に係るサーバシステムは、００１０項記載の携帯情報端末とネットワークを介して情報授受するサーバシステムにおいて、前記情報端末にて収集した決済、チケット購入、交通利用、各種セキュリティー利用、他の情報端末またはタグから取得した個人を識別する為の個人識別情報等の各種イベントの発生日時、内容、及びそのイベントの場所特定が可能な場合の場所等のイベント情報と、前記情報端末に日記として登録された文章情報や前記情報端末であってカメラ付前記情報端末で撮ったスナップ写真情報を、前記情報端末からリアルタイム処理またはバッチ処理で受信する受信手段と、この受信手段により受信した情報を保存する情報保存手段と、前記ネットワークを介した特定アクセス元からの要求で前記情報保存手段に保存された情報を、前記特定アクセス元に提示する情報提示手段と、前記保存情報を前記特定アクセス元から編集する編集手段と、前記保存情報を任意に選択して報告書、精算書、家計簿、小遣い帳として加工する加工手段と、前記保存情報から特定の人とあった日時の検索やある出来事の日時の検索をする検索手段とを具備することを特徴とする。
【００１６】
またさらに上記目的を達成するために本発明に係る自動日記作成方法は、００１０項記載の携帯情報端末のＩＣチップ内に常駐させるアプリケーションプログラムは、００１０項、００１２項、００１４項、００１５項に記載のイベント情報をＩＣチップ内でそのイベントを処理する他の複数のアプリケーションから取り込み、００１０項、００１５項に記載のサーバにそのイベント情報が送られるまで時系列に保存しておくことを特徴とする。
【００１７】
またさらに上記目的を達成するために本発明に係る自動日記作成ＩＣチップ常駐プログラムは、００１０項記載の携帯情報端末のＩＣチップ内に常駐させ、００１０項、００１２項、００１４項、００１５項に記載のイベント情報をＩＣチップ内でそのイベントを処理する他の複数のアプリケーションから取り込むステップと、００１０項、００１５項に記載のサーバにそのイベント情報が送られるまで時系列に保存しておくステップを実行させる事を特徴とする。
【００１８】
本発明よる自動日記作成システム、自動日記作成方法の実施又は自動日記作成プログラムの実行によれば、本発明に係る００１０項記載の携帯情報端末を常時携帯することにより、本人の行動記録を携帯情報端末に組み込みの非接触ＩＣカードを介してサーバにイベント情報として保存することができるので、見たい日の出来事を時系列に参照でき、付け加えたいその日のでき事や、書き留めておきたい事を日にちが経っても容易に追記することが可能となる。
【００１９】
本発明よるサーバシステムによれば、自動記録のみの日記、自動記録＋任意の日の記録について追記した日記、自動記録＋毎日の記録について追記した日記、というように本人の自由意志で自動記録した日記の記録に追記していくことが可能になり、さらに、自動記録された日記のある日のイベント情報を任意に選択して報告書、精算書、家計簿、小遣い帳として使用することや、特定の人とあった日時の検索やある出来事の日時の検索も可能となる。
【００２０】
以下、本発明の一実施形態に係る自動日記作成システムを、図面を参照して説明する。
【００２１】
図１は、インターネットを利用することが可能な非接触ＩＣカード組込み携帯情報端末として、サーバシステムから予め自動日記作成携帯情報端末プログラムと、リモート発行システムから予め自動日記作成ＩＣチップ常駐プログラムをダウンロードして自動日記作成システムが動作する環境になっている携帯電話機と、特定アクセス元として自宅パソコンを用いた本実施形態のシステム例である。
【００２２】
サーバシステム１０と非接触ＩＣカード組込み携帯電話２０および本人自宅パソコン３０はインターネットを介して接続され、サーバークライアントシステムを構成している。
【００２３】
サーバシステム１０は、図３に示すように自動日記データベース１４を有し、自動日記作成サーバプログラム１２により、サーバシステム１０から予め自動日記作成携帯情報端末プログラム１３と、リモート発行システム１６から予め自動日記作成ＩＣチップ常駐プログラム１５をダウンロードして自動日記作成システムが動作する環境になっている非接触ＩＣカード組込み携帯電話機２０から図４に示すように個人識別情報取得イベント情報送信２０１、交通機関利用イベント情報送信２０２、支払いイベント情報送信２０３、入出金イベント情報送信２０４、ネット決済イベント情報送信２０５、入出門イベント情報送信２０６を受けて自動日記データベースの該当場所へ保存し、携帯電話機２０及び同じくクライアント側である本人自宅パソコン３０からのアクセスを受けて自動日記データベースの照会、編集処理を行う。
【００２４】
携帯電話機２０は、図２のように他の携帯電話機２０との間で、図８のように自動日記作成システムが起動中で（ステップＳ２００）、通信が可能な距離の接近検出で（ステップＳ２０１）、非接触ＩＣカード通信、ブルートゥース通信、赤外線通信の中から最適な通信手段を判定し（ステップＳ２０２）、相手が個人識別情報送信許可モードであれば相手から個人識別情報を取得し（ステップＳ２０３）、自身が個人識別情報送信許可モードであれば（ステップＳ２０４）個人識別情報を送信する。（ステップＳ２０５）
【００２５】
図５は携帯電話機２０を携帯した1日のイベント情報発生と、サーバシステム１０にバッチ送信されるイベント情報送信と、サーバシステム１０に照会、編集するフロー図を表している。
【００２６】
図１１の送信管理テーブル５００を使用してバッチ送信は送信する時刻が設定でき、図５は１２：００、１８：００、００：００の３時刻が設定された場合のフロー図を表している。
【００２７】
1日の行動に対する携帯電話機２０で記録されるイベント情報の順に記述していくと
【００２８】
Ａ１）出勤に対してＳ１）セキュリティー使用イベント（７：１０／玄関／外出）が、Ａ２）サークルＫ国分店で買い物に対してＳ２）ショッピングイベント（７：１５／サークルＫ国分店／支払い）が、Ａ３）ＪＲ石山駅改札入場に対しＳ３）交通機関利用イベント（８：４５／ＪＲ石山駅改札／入場）が、Ａ４）ＪＲ大阪駅キヨスクで買い物に対してＳ４）ショッピングイベント（９：３０／ＪＲ大阪駅キヨスク／支払い）が、Ａ５）ＪＲ大阪駅改札出場に対しＳ５）交通機関利用イベント（９：３１／ＪＲ大阪駅改札／出場）が、Ａ６）ヨドバシカメラ大阪店で買い物に対してＳ６）ショッピングイベント（１０：４５／ヨドバシカメラ大阪店／支払い）が、Ａ７）うつぼ公園でスナップ写真撮影に対してＳ７）スナップ写真イベント（１１：３０／うつぼ公園／写真）が、Ａ８）Ｂさんから電話着信に対してＳ８）着信イベント（１２：００／Ｂさん電話着信／通話記録）が、発生し保存される。
【００２９】
バッチ送信時刻の１２：００になるとサーバシステム１０へＳ９）イベント情報送信（１２：００／サーバへ１２：００までのイベント情報送信）で、当日のその時刻までの保存されていたイベント情報が全て送信されサーバの自動日記作成データベースに書き込まれる。
【００３０】
つづいて、Ａ１０）Ａさんの携帯電話接近に対してＳ１０）個人識別情報取得イベント（１２：１０／Ａさん携帯電話／個人識別情報）が、Ａ１１）が、Ｂさんの携帯電話接近に対してＳ１１）個人識別情報取得イベント（１２：１１／Ｂさん携帯電話／個人識別情報）が、Ａ１２）が、Ｄさんへ電話発信に対してＳ１２）発信イベント（１２：２５／Ｄさん電話発信／通話記録）が、Ａ１３）日記照会に対してＳ１３）携帯電話（自身）から（１２：３０／照会／１２:３０までのイベント情報）が、Ａ１４）うどん茶屋で飲食に対してＳ１４）決済イベント（１３：３０／うどん茶屋／支払い）が、Ａ１５）Ｃさんの携帯電話接近に対してＳ１５）個人識別情報取得イベント（１４：００／Ｃさん携帯電話／個人識別情報）が、Ａ１６）映画館でチケット購入に対してＳ１６）チケット購入イベント記憶（１５：００／映画館／支払い）が、Ａ１７）自動販売機でジュース購入に対してＳ１７）ショッピングイベント（１５：０５／映画館設置自動販売機／支払い）が、Ａ１８）大阪駅周辺の街角でスナップ写真撮影に対してＳ１８）スナップ写真イベント（１７：４５／大阪駅周辺／写真）が、発生し保存される。
【００３１】
バッチ送信時刻の１８：００になるとサーバシステム１０へＳ１９）イベント情報送信（１８：００／サーバへ１８:００までのイベント情報送信）で、当日のその時刻までの保存されていたイベント情報が全て送信されサーバの自動日記作成データベースに書き込まれる。
【００３２】
つづいて、Ａ２０）日記照会に対してＳ２０）携帯電話（自身）から（１８：３０／照会,編集／１８:３０までのイベント情報）が、Ａ２１）亀すし総本店で飲食に対してＳ２１）決済イベント記憶（１９：００／亀すし総本店／支払い）が、Ａ２２）ＪＲ大阪駅改札入場に対してＳ２２）交通機関利用イベント（１９：３０／ＪＲ大阪駅改札／入場）が、Ａ２３）ＪＲ石山駅改札出場に対してＳ２３）交通機関利用イベント（２０：３０／ＪＲ石山駅改札／出場）が、Ａ２４タクシー代金支払いに対してＳ２４）決済イベント（２０：５０／琵琶湖タクシー／支払い）が、Ａ２５）帰宅に対してＳ２５）セキュリティー使用イベント（２０：５１／玄関／帰宅）が発生し保存される。
【００３３】
２１：００にサーバシステム１０へＳ２６）イベント情報強制送信（２１：００／サーバへ２１：００までのイベント情報送信）で、当日のその時刻までの保存されていたイベント情報が全て送信されサーバの自動日記作成データベースに書き込まれる。
【００３４】
Ｓ５０）本人の自宅パソコン（２１：０１／照会,編集／２１:００までのイベント情報表示）で、特定アクセス元の本人の自宅パソコン３０から個人識別情報とパスワード設定でサーバシステム１０にログインし自動日記作成データベースの日記データが照会、編集される。
【００３５】
バッチ送信時刻の００：００になるとサーバシステム１０へＳ２７）イベント情報送信（００：００／サーバへ００:００までのイベント情報送信）で、当日のその時刻までの保存されていたイベント情報が全て送信されサーバの自動日記作成データベースに書き込まれる。
【００３６】
図１０は携帯電話機２０に組み込まれた非接触ＩＣカードのＩＣチップ４００内で自動日記作成ＩＣチップ常駐プログラム１５が、他のサービス業者アプリケーション４０２、４０３、４０４からイベント情報をイベントテーブル４０５に取り込んで時系列に保存している状態を示す。
【００３７】
イベントテーブル４０５はサーバシステム１０にイベント情報を送信するまで保存しておく役目がある。
【００３８】
図１１の送信管理テーブル５００は、イベント情報をサーバシステム１０へ送る送信モードとバッチ送信の場合の送信時刻が設定される。
【００３９】
図１２のイベント構成５１０は、イベント情報の構成で、発生日時、サービス業者コード、イベント管理ＮＯ、場所、内容、詳細内容で構成される。
【００４０】
図６は特定アクセス元の本人の自宅パソコン３０から個人識別情報とパスワード設定でサーバシステム１０にログインし自動日記作成データベース１４の日記データを照会した場合の、前記自宅パソコン３０の画面への表示例である。
【００４１】
表示内容は、見出し欄３００に日付３０１と滞在地域の当日の天気と気温３０２を表示し、イベント履歴欄３１０にイベント発生地区の天気３１１とイベント発生地区の気温３１２とイベント発生時刻３１３とイベント発生場所３１４とイベント内容３１５を表示し、スナップ写真欄３２０に携帯電話のカメラで撮った写真３２１と撮影時刻３２２を表示し、ノート欄３３０に書き留めて置きたい事がら３３１を表示し、メニュー欄３４０に日記照会３４１と検索３４２と報告書作成３４３と清算３４４と家計簿３４５と小遣い帳３４６のアイコンが表示される。
【００４２】
見出し欄３００の日付３０１は照会のあった日付で、滞在地域の当日の天気と気温３０２は当日のイベント履歴３１０でイベント発生の場所が特定できた地域の天気と気温が表示される。
【００４３】
イベント履歴欄３１０のイベント発生地区の天気３１１とイベント発生地区の気温３１２は、イベント発生の場所が特定できた地区の天気と気温が表示される。
【００４４】
イベント履歴欄３１０のイベント発生時刻３１３とイベント発生場所３１４とイベント内容３１５は、サーバシステム１０から予め自動日記作成携帯情報端末プログラム１３と、リモート発行システム１６から予め自動日記作成ＩＣチップ常駐プログラム１５をダウンロードして自動日記作成システムが動作する環境になっている非接触ＩＣカード組込み携帯電話機２０が、非接触ＩＣカードを介して得られたイベント情報が表示される。決済に関するイベントで支払い明細を見たい場合は該当箇所を選択すると支払い明細が表示される。
【００４５】
スナップ写真欄３２０の携帯電話機２０のカメラで撮った写真３２１と撮影時刻３２２は、カメラ付前記携帯電話機２０で撮った写真の中で日記として保存を選択した写真のイメージ写真３２１と撮影時刻３２２が表示される。拡大したい場合は該当箇所を選択すると拡大写真が表示される。
【００４６】
ノート欄３３０の付け加えたいその日のでき事や、書き留めて置きたい事がら３３１は、当日中に書き込んだり、日が経ってから書き込んだり、又は何も書き込まなかったりと、書き手の自由である。
【００４７】
メニュー欄３４０の日記照会３４１を選択すると、日記表示選択画面が表示される。作成された日記を印字するかＣＳＶファイルとして保存する。（図９のステップＳ３００）
【００４８】
メニュー欄３４０の検索３４２を選択すると、検索画面が表示される。検索対象期間と検索内容を入力して検索を選択すると、自動日記作成データベース１４から検索対象に合ったイベントが選ばれてリスト表示される。作成された検索結果を印字するかＣＳＶファイルとして保存する。（図９のステップＳ３０１）
【００４９】
メニュー欄３４０の報告書作成３４３を選択すると、報告書作成画面が表示される。報告書作成対象期間を入力すると対象期間のイベントが全て表示される。報告書を作成するイベントを選択し、必要に応じてイベントを付け加え作成を選択すると報告書が作成される。作成された報告書を印字するかＣＳＶファイルとして保存する。（図９のステップＳ３０２）
【００５０】
メニュー欄３４０の清算３４４を選択すると、清算作成画面が表示される。清算対象期間を入力すると対象期間のイベントが全て表示される。清算を作成するイベントを選択し、作成を選択すると精算書が作成される。作成された清算書を印字するかＣＳＶファイルとして保存する。（図９のステップＳ３０３）
【００５１】
メニュー欄３４０の家計簿３４５を選択すると、家計簿作成画面が表示される。家計簿対象期間を入力すると対象期間のイベントが全て表示される。家計簿を作成するイベントを選択し、作成を選択すると家計簿が作成される。作成された家計簿を印字するかＣＳＶファイルとして保存する。（図９のステップＳ３０４）
【００５２】
メニュー欄３４０の小遣い帳３４６を選択すると、小遣い帳作成画面が表示される。小遣い帳対象期間を入力すると対象期間のイベントが全て表示される。小遣い帳を作成するイベントを選択し、作成を選択すると小遣い帳が作成される。作成された小遣い帳を印字するかＣＳＶファイルとして保存する。（図９のステップＳ３０５）
【００５３】
本発明よる自動日記作成システム、自動日記作成方法の実施又は自動日記作成プログラムの実行によれば、本発明に係る００１０項記載の携帯情報端末を常時携帯することにより、本人の行動記録を非接触ＩＣカードを介してイベント情報としてリアルタイムまたはバッチ処理で保存することができるので、見たい日の出来事を時系列に参照でき、付け加えたいその日のでき事や、書き留めておきたい事を日にちが経っても容易に追記することが可能となる。
【００５４】
本発明よるサーバシステムによれば、自動記録のみの日記、自動記録＋任意の日の記録について追記した日記、自動記録＋毎日の記録について追記した日記、というように本人の自由意志で自動記録した日記の記録に追記していくことが可能になり、さらに、自動記録された日記のある日のイベント情報を任意に選択して報告書、精算書、家計簿、小遣い帳として使用することや、特定の人とあった日時の検索やある出来事の日時の検索も可能となる。
【００５５】
上記例で、非接触ＩＣカード組込携帯情報端末として携帯電話を上げたが、ネットワークにアクセス可能なパーソナルコンピュータ又はＰＤＡ等を採用することができる。
【００５６】
上記例で、特定アクセス元として自宅パソコンを上げたが、サーバシステム１０に照会、編集を行う特定アクセス元は、非接触ＩＣカード組込携帯情報端末機本体であっても良い。
【発明の効果】
【００５７】
以上述べたように本発明によれば、続けることが困難な日記を、誰でも続けることを可能にする自動日記作成システム、方法及びプログラム並びにサーバシステムを提供することが可能になる。
【図面の簡単な説明】
【００５８】
【図１】本発明の一実施形態に係る自動日記作成システムの構成図。
【図２】同実施形態における個人識別情報取得図。
【図３】同実施形態におけるサーバシステム詳細図
【図４】同実施形態におけるイベント情報送信図。
【図５】同実施形態における1日のイベント発生フロー図。
【図６】同実施形態における日記表示（または印刷）図。
【図７】イベント情報送信フロー図
【図８】個人識別情報取得、送信フロー図
【図９】サービス内容フロー図
【図１０】ＩＣチップ内イベント情報送信図
【図１１】送信管理テーブル図
【図１２】イベント構成図
【符号の説明】
【００５９】
１０…サーバシステム
１１…サーバ本体
１２…自動日記作成サーバプログラム
１３…自動日記作成携帯情報端末プログラム
１４…自動日記データベース
１５…自動日記作成ＩＣチップ常駐プログラム
１６…リモート発行システム
２０…非接触ＩＣカード組込携帯電話
３０…本人自宅パソコン
４０…インターネット網
５０…イベント発生源
６０…1日の行動
２０１…個人識別情報取得イベント情報送信
２０２…交通機関利用イベント情報送信
２０３…支払いイベント情報送信
２０４…入出金イベント情報送信
２０５…決済イベント情報送信
２０６…入出門イベント情報送信
２０７…自動日記データベース照会、編集
２０８…自動日記データベース照会、編集
３００…見出し
３０１…日付
３０２…滞在地域の当日の天気と気温
３１０…イベント履歴
３１１…イベント発生地区の天気
３１２…イベント発生地区の気温
３１３…イベント発生時刻
３１４…イベント発生場所
３１５…イベント内容
３２０…スナップ写真
３２１…携帯電話のカメラで撮った写真
３２２…撮影時刻
３３０…ノート
３３１…書き留めて置きたい事がら
３４０…メニュー
３４１…日記照会
３４２…検索
３４３…報告書
３４４…清算書
３４５…家計簿
３４６…小遣い帳
４００…ＩＣチップ
４０１…自動日記作成業者アプリケーション（自動日記作成ＩＣチップ常駐プログラム）
４０２…交通機関業者アプリケーション
４０３…ショッピング業者アプリケーション
４０４…セキュリティー業者アプリケーション
４０５…イベントテーブル
５００…送信管理テーブル
５１０…イベント構成
【図１】
2007280309.tif 000003
【図２】
2007280309.tif 000004
【図３】
2007280309.tif 000005
【図４】
2007280309.tif 000006
【図５】
2007280309.tif 000007
【図６】
2007280309.tif 000008
【図７】
2007280309.tif 000009
【図８】
2007280309.tif 000010
【図９】
2007280309.tif 000011
【図１０】
2007280309.tif 000012
【図１１】
2007280309.tif 000013
【図１２】
2007280309.tif 000014